(57)【要約】【課題】運転の安定性の向上を図ることができる遠心圧縮機を提供すること。【解決手段】遠心圧縮機１０は、回転軸１２と、回転軸１２の回転に伴って回転することにより流体を圧縮して吐出するインペラ１４と、を備えている。ここで、遠心圧縮機１０は、インペラ１４に向けて吸入される吸入流体の圧力及びインペラ１４の回転によって圧縮された圧縮流体の圧力の比率である圧縮比に応じて変位する可動部８１を有する圧力比センサ８０と、可動部８１の位置に応じて、高圧空間７３と低圧空間７４とを連通させる開放状態、又は、高圧空間７３と低圧空間７４とを遮断する閉鎖状態に切り替わる電磁弁７２と、を備えている。【選択図】図１
2017025825.tif 000002
【特許請求の範囲】
【請求項１】
回転軸と、
前記回転軸の回転に伴って回転することにより流体を圧縮して吐出するインペラと、
前記インペラに向けて吸入される吸入流体の圧力と、前記インペラの回転によって圧縮された圧縮流体の圧力との比率である圧縮比に応じて変位する可動部を有する圧力比センサと、
前記回転軸、前記インペラ及び前記圧力比センサが収容されたハウジングと、
前記ハウジング内に設けられ、前記インペラの吐出側と連通しているとともに前記圧縮流体が存在する高圧空間と、
前記ハウジング内に設けられ、前記インペラの吸入側と連通しているとともに前記吸入流体が存在する低圧空間と、
前記可動部の位置に応じて、前記高圧空間と前記低圧空間とを連通させる開放状態、又は、前記高圧空間と前記低圧空間とを遮断する閉鎖状態に切り替わる弁と、
を備えていることを特徴とする遠心圧縮機。
【請求項２】
前記圧力比センサは、
前記圧縮流体の圧力を受ける高圧側受圧面と、
前記高圧側受圧面と対向配置されているものであって、前記高圧側受圧面の受圧方向とは反対方向から前記吸入流体の圧力を受ける低圧側受圧面と、
を備え、
前記可動部は、前記高圧側受圧面に付与される高圧側押圧力と、前記低圧側受圧面に付与されるものであって前記高圧側押圧力とは反対方向の力である低圧側押圧力との合力に応じて、前記高圧側受圧面及び前記低圧側受圧面の対向方向に変位する請求項１に記載の遠心圧縮機。
【請求項３】
前記圧力比センサは、
前記高圧側受圧面を有する高圧側受圧部と、
前記低圧側受圧面を有する低圧側受圧部と、
を備え、
前記可動部は、前記高圧側受圧部と前記低圧側受圧部との間に挟まれており、前記高圧側受圧部及び前記低圧側受圧部が前記合力により前記対向方向に変位又は変形することに基づいて前記対向方向に変位する請求項２に記載の遠心圧縮機。
【請求項４】
前記弁が前記閉鎖状態から前記開放状態に切り替わる契機となる前記可動部の位置を切替位置とすると、
前記高圧側受圧面に対する前記低圧側受圧面の面積比は、前記圧縮比が予め定められた閾値圧縮比よりも高くなったことに基づいて前記可動部が前記切替位置に配置されるように、前記閾値圧縮比に対応させて設定されている請求項２又は請求項３に記載の遠心圧縮機。
【請求項５】
前記可動部の変位を検知する変位検知センサと、
前記変位検知センサの検知結果に基づいて、前記弁を前記開放状態又は前記閉鎖状態に制御する制御部と、
を備えている請求項１〜４のうちいずれか一項に記載の遠心圧縮機。
【請求項６】
前記弁は、前記開放状態に対応する開放位置と、前記閉鎖状態に対応する閉鎖位置との間を移動可能であり、
前記遠心圧縮機は、前記可動部の位置に応じて移動することにより、前記弁を前記開放位置又は前記閉鎖位置に移動させる移動部を備えている請求項１〜４のうちいずれか一項に記載の遠心圧縮機。
【請求項７】
回転軸と、
前記回転軸の回転に伴って回転することにより流体を圧縮して吐出するインペラと、
荷重を検知する荷重検知部、及び、前記インペラに向けて吸入される吸入流体の圧力と、前記インペラの回転によって圧縮された圧縮流体の圧力との比率である圧縮比に応じた荷重を前記荷重検知部に付与する荷重付与部を有する圧力比センサと、
前記回転軸、前記インペラ及び前記圧力比センサが収容されたハウジングと、
前記ハウジング内に設けられ、前記インペラの吐出側と連通しているとともに前記圧縮流体が存在する高圧空間と、
前記ハウジング内に設けられ、前記インペラの吸入側と連通しているとともに前記吸入流体が存在する低圧空間と、
前記荷重検知部の検知結果に基づいて、前記高圧空間と前記低圧空間とを連通させる開放状態、又は、前記高圧空間と前記低圧空間とを遮断する閉鎖状態に切り替わる弁と、
を備えていることを特徴とする遠心圧縮機。
【発明の詳細な説明】
【技術分野】
【０００１】
本発明は、遠心圧縮機に関する。
【背景技術】
【０００２】
従来から、回転軸及び回転軸が取り付けられたインペラを備え、インペラの回転によって流体を圧縮して吐出する遠心圧縮機が知られている（例えば特許文献１参照）。また、特許文献２には、遠心圧縮機を用いた水冷式の空調装置が記載されている。
【先行技術文献】
【特許文献】
【０００３】
【特許文献１】特開２００９−２５７１６５号公報
【特許文献２】特開２０１４−１５９９２３号公報
【発明の概要】
【発明が解決しようとする課題】
【０００４】
ここで、遠心圧縮機が吐出する流量を大きくする点に着目すれば、吸入側の圧力と吐出側の圧力との比率である圧縮比は高い方が好ましい。しかしながら、圧縮比が過度に高くなると、インペラを流れる流体の速度が音速を超える場合がある。この場合、インペラの表面から流体が剥離してしまい、その結果運転の安定性が低下し得る。また、例えば、遠心圧縮機が空冷式の空調装置等に用いられる場合、水冷式の空調装置と比較して、要求される圧縮比が高くなり易い場合がある。この場合、上記不都合が生じ易い。
【０００５】
本発明は、上述した事情を鑑みてなされたものであり、その目的は運転の安定性の向上を図ることができる遠心圧縮機を提供することである。
【課題を解決するための手段】
【０００６】
上記目的を達成する遠心圧縮機は、回転軸と、前記回転軸の回転に伴って回転することにより流体を圧縮して吐出するインペラと、前記インペラに向けて吸入される吸入流体の圧力と、前記インペラの回転によって圧縮された圧縮流体の圧力との比率である圧縮比に応じて変位する可動部を有する圧力比センサと、前記回転軸、前記インペラ及び前記圧力比センサが収容されたハウジングと、前記ハウジング内に設けられ、前記インペラの吐出側と連通しているとともに前記圧縮流体が存在する高圧空間と、前記ハウジング内に設けられ、前記インペラの吸入側と連通しているとともに前記吸入流体が存在する低圧空間と、前記可動部の位置に応じて、前記高圧空間と前記低圧空間とを連通させる開放状態、又は、前記高圧空間と前記低圧空間とを遮断する閉鎖状態に切り替わる弁と、を備えていることを特徴とする。
【０００７】
かかる構成によれば、弁が開放状態である場合には、高圧空間の圧縮流体が低圧空間に向けて流れ込むため、圧縮比が低くなる。これにより、弁の状態を調整することにより、圧縮比を調整することができる。
【０００８】
かかる構成において、可動部は圧縮比に応じて変位し、その可動部の位置に応じて、弁の状態が切り替わる。これにより、圧縮比に応じて、弁を開放状態又は閉鎖状態にすることができ、それを通じて圧縮比が過度に高くなることを抑制できる。よって、遠心圧縮機の運転の安定性の向上を図ることができる。特に、本構成では、吸入流体の圧力を検知するセンサと、圧縮流体の圧力を検知するセンサとの双方を設けたり、圧縮比を算出する演算を行ったりすることなく、圧縮比の調整を行うことができるため、構成の簡素化を図ることができる。
【０００９】
上記遠心圧縮機について、前記圧力比センサは、前記圧縮流体の圧力を受ける高圧側受圧面と、前記高圧側受圧面と対向配置されているものであって、前記高圧側受圧面の受圧方向とは反対方向から前記吸入流体の圧力を受ける低圧側受圧面と、を備え、前記可動部は、前記高圧側受圧面に付与される高圧側押圧力と、前記低圧側受圧面に付与されるものであって前記高圧側押圧力とは反対方向の力である低圧側押圧力との合力に応じて、前記高圧側受圧面及び前記低圧側受圧面の対向方向に変位するとよい。かかる構成によれば、可動部が、圧縮流体の圧力に依存する高圧空間押圧力と吸入流体の圧力に依存する低圧側押圧力との合力に応じて変位する。これにより、圧縮比に応じた可動部の変位を実現することができる。
【００１０】
上記遠心圧縮機について、前記圧力比センサは、前記高圧側受圧面を有する高圧側受圧部と、前記低圧側受圧面を有する低圧側受圧部と、を備え、前記可動部は、前記高圧側受圧部と前記低圧側受圧部との間に挟まれており、前記高圧側受圧部及び前記低圧側受圧部が前記合力により前記対向方向に変位又は変形することに基づいて前記対向方向に変位するとよい。かかる構成によれば、高圧側受圧部と低圧側受圧部とは、圧縮比に応じて対向方向に変位又は変形し、それに伴って両受圧部に挟まれた可動部が変位する。これにより、可動部は圧縮比に応じた位置に配置されることとなるため、上述した効果を得ることができる。
【００１１】
上記遠心圧縮機について、前記弁が前記閉鎖状態から前記開放状態に切り替わる契機となる前記可動部の位置を切替位置とすると、前記高圧側受圧面に対する前記低圧側受圧面の面積比は、前記圧縮比が予め定められた閾値圧縮比よりも高くなったことに基づいて前記可動部が前記切替位置に配置されるように、前記閾値圧縮比に対応させて設定されているとよい。かかる構成によれば、圧縮比が閾値圧縮比よりも高くなったことに基づいて、弁が閉鎖状態から開放状態となる。これにより、圧縮流体が低圧空間に流れ込み、圧縮比が低下するため、圧縮比が閾値圧縮比よりも高い状況が継続されることを抑制できる。
【００１２】
上記遠心圧縮機について、前記可動部の変位を検知する変位検知センサと、前記変位検知センサの検知結果に基づいて、前記弁を前記開放状態又は前記閉鎖状態に制御する制御部と、を備えているとよい。かかる構成によれば、可動部の変位を好適に把握でき、その把握結果に基づいて弁を制御することを通じて、圧縮比調整を好適に行うことができる。
【００１３】
上記遠心圧縮機について、前記弁は、前記開放状態に対応する開放位置と、前記閉鎖状態に対応する閉鎖位置との間を移動可能であり、前記遠心圧縮機は、前記可動部の位置に応じて移動することにより、前記弁を前記開放位置又は前記閉鎖位置に移動させる移動部を備えているとよい。かかる構成によれば、可動部の位置に応じて、自ずと弁が開放位置又は閉鎖位置に配置される。これにより、可動部の変位を検知するセンサを設けたり、センサの検知結果に基づく制御等を行ったりすることなく、圧縮比を調整できる。
【００１４】
上記目的を達成する遠心圧縮機は、回転軸と、前記回転軸の回転に伴って回転することにより流体を圧縮して吐出するインペラと、荷重を検知する荷重検知部、及び、前記インペラに向けて吸入される吸入流体の圧力と、前記インペラの回転によって圧縮された圧縮流体の圧力との比率である圧縮比に応じた荷重を前記荷重検知部に付与する荷重付与部を有する圧力比センサと、前記回転軸、前記インペラ及び前記圧力比センサが収容されたハウジングと、前記ハウジング内に設けられ、前記インペラの吐出側と連通しているとともに前記圧縮流体が存在する高圧空間と、前記ハウジング内に設けられ、前記インペラの吸入側と連通しているとともに前記吸入流体が存在する低圧空間と、前記荷重検知部の検知結果に基づいて、前記高圧空間と前記低圧空間とを連通させる開放状態、又は、前記高圧空間と前記低圧空間とを遮断する閉鎖状態に切り替わる弁と、を備えていることを特徴とする。
【００１５】
かかる構成によれば、弁が開放状態である場合には、高圧空間の圧縮流体が低圧空間に向けて流れ込むため、圧縮比が低くなる。これにより、弁の状態を調整することにより、圧縮比を調整することができる。
【００１６】
かかる構成において、荷重検知部によって検知される荷重に応じて、弁の状態が切り替わる。当該荷重は圧縮比に応じて変動する。これにより、圧縮比に応じて、弁を開放状態又は閉鎖状態にすることができ、それを通じて圧縮比が過度に高くなることを抑制できる。特に、本構成では、吸入流体の圧力を検知するセンサと、圧縮流体の圧力を検知するセンサとの双方を設けたり、圧縮比を算出する演算を行ったりすることなく、圧縮比の調整を行うことができるため、構成の簡素化を図ることができる。
【発明の効果】
【００１７】
この発明によれば、運転の安定性の向上を図ることができる。
【図面の簡単な説明】
【００１８】
【図１】第１実施形態の遠心圧縮機の概要を模式的に示す断面図。
【図２】平衡状態時の圧力比センサを模式的に示す断面図。
【図３】圧縮比が閾値圧縮比よりも高い状況における圧力比センサを模式的に示す断面図。
【図４】圧縮比制御処理を示すフローチャート。
【図５】第２実施形態の遠心圧縮機の概要を模式的に示す断面図。
【図６】平衡状態時の圧力比センサ及び弁を模式的に示す断面図。
【図７】図６の一部拡大図。
【図８】圧縮比が閾値圧縮比よりも高い状況における圧力比センサ及び弁を模式的に示す断面図。
【図９】図８の一部拡大図。
【図１０】第３実施形態の遠心圧縮機の概要を模式的に示す断面図。
【図１１】別例の圧力比センサを模式的に示す断面図。
【図１２】別例の圧力比センサを模式的に示す断面図。
【図１３】別例の圧力比センサを模式的に示す断面図。
【図１４】別例の遠心圧縮機の概要を模式的に示す断面図。
【発明を実施するための形態】
【００１９】
（第１実施形態）
以下、遠心圧縮機の第１実施形態について説明する。なお、本実施形態では、遠心圧縮機は車両に搭載されている。また、図示の都合上、図１等においては、回転軸１２を側面図で示す。
【００２０】
図１に示すように、本実施形態の遠心圧縮機１０は、空冷式の車両空調装置２００に用いられている。車両空調装置２００は、凝縮器２０１、気液分離器２０２、膨張弁２０３及び蒸発器２０４を備えている。これら凝縮器２０１、気液分離器２０２、膨張弁２０３及び蒸発器２０４は、配管を介して接続されている。遠心圧縮機１０は、蒸発器２０４から吐出された流体としての冷媒を圧縮し、凝縮器２０１に向けて供給するように構成されている。なお、本実施形態では、冷媒は例えばフロン冷媒（詳細にはＲ−１３４ａ等）である。
【００２１】
遠心圧縮機１０は、その外郭を構成するハウジング１１を備えている。ハウジング１１は、例えば全体として円筒状である。遠心圧縮機１０は、ハウジング１１に収容されているものとして、回転軸１２と、回転軸１２を回転させる電動モータ１３と、回転軸１２に取り付けられたインペラ１４とを備えている。
【００２２】
回転軸１２は、ハウジング１１の軸線方向と回転軸１２の軸線方向Ｚとが一致している状態でハウジング１１内に配置されている。回転軸１２は、本体部１２ａと、本体部１２ａよりも縮径され、且つ、インペラ１４が取り付けられた先端部１２ｂと、本体部１２ａに対して先端部１２ｂ側とは反対側に配置された基端部１２ｃとを有している。基端部１２ｃは、本体部１２ａより縮径されており、且つ、先端部１２ｂより拡径されている。
【００２３】
なお、回転軸１２の先端部１２ｂは回転軸１２の一端部とも言える。この場合、回転軸１２の先端側（先端部１２ｂ側）は、回転軸１２の一端側とも言える。同様に、回転軸１２の基端部１２ｃは回転軸１２の他端部とも言え、回転軸１２の基端側（基端部１２ｃ側）は回転軸１２の他端側とも言える。
【００２４】
ハウジング１１は、流体が吸入される吸入口２０が形成されたフロントハウジング２１と、電動モータ１３が収容されたモータハウジング２２と、エンドプレート２３と、リアハウジング２４と、を備えている。吸入口２０は、ハウジング１１の軸線方向の一端面１１ａに設けられている。吸入口２０から見て回転軸１２の軸線方向Ｚに、フロントハウジング２１、モータハウジング２２、エンドプレート２３及びリアハウジング２４の順に配列されている。
【００２５】
フロントハウジング２１は、回転軸１２の軸線方向Ｚを軸線方向とする筒状であり、回転軸１２の軸線方向Ｚに貫通したコンプ貫通孔２１ａを有している。フロントハウジング２１の軸線方向の一端面２１ｂがハウジング１１の軸線方向の一端面１１ａを構成しており、コンプ貫通孔２１ａにおける上記一端面２１ｂ側にある開口が吸入口２０として機能する。
【００２６】
モータハウジング２２は、例えば底部２２ａを有し、且つ、底部２２ａとは反対側が開口した有底筒状である。フロントハウジング２１とモータハウジング２２とは、フロントハウジング２１における一端面２１ｂとは反対側の他端面２１ｃとモータハウジング２２の底部２２ａにおけるフロントハウジング２１側の第１底面２２ｂとが突き合わせられた状態で組み付けられている。
【００２７】
モータハウジング２２の底部２２ａには、当該底部２２ａを貫通する底部貫通孔２２ｃが設けられている。回転軸１２の先端部１２ｂは、底部貫通孔２２ｃに挿通されており、回転軸１２の先端部１２ｂの一部は、コンプ貫通孔２１ａ内に配置されている。
【００２８】
コンプ貫通孔２１ａは、吸入口２０から回転軸１２の軸線方向Ｚの途中位置までは一定の径であり、上記途中位置からモータハウジング２２の第１底面２２ｂに向かうに従って徐々に拡径した円錐台形状となっている。コンプ貫通孔２１ａの内面とモータハウジング２２の第１底面２２ｂとによって、インペラ１４を収容するインペラ室Ａ１が区画されている。
【００２９】
インペラ１４は、基端面１４ａから先端面１４ｂに向かうに従って徐々に縮径した円錐台形状である。インペラ１４は、インペラ１４の回転軸線方向に延び、且つ、回転軸１２の先端部１２ｂが挿通可能な挿通孔１４ｃを有している。インペラ１４は、回転軸１２の先端部１２ｂにおけるコンプ貫通孔２１ａ内に配置されている部分が挿通孔１４ｃに挿通された状態で、回転軸１２と一体回転するように回転軸１２に取り付けられている。
【００３０】
ここで、インペラ１４の先端面１４ｂは、コンプ貫通孔２１ａにおける軸線方向の途中位置に配置されている。このため、コンプ貫通孔２１ａ内におけるインペラ１４の先端面１４ｂと吸入口２０との間には、吸入口２０から吸入される吸入流体が存在する吸入室Ａ２が存在する。すなわち、コンプ貫通孔２１ａは、吸入口２０として機能するとともに、吸入室Ａ２及びインペラ室Ａ１を区画するものとして機能する。吸入室Ａ２は、インペラ１４の吸入側に対応する。
【００３１】
かかる構成によれば、回転軸１２が回転することによってインペラ１４が回転すると、吸入口２０から流体が吸入される。吸入口２０から吸入された吸入流体は、吸入室Ａ２を通ってインペラ室Ａ１に向けて吸入され、当該インペラ室Ａ１にてインペラ１４によって圧縮される。
【００３２】
図１に示すように、遠心圧縮機１０のハウジング１１は、インペラ１４によって圧縮された圧縮流体が流入するディフューザ流路３１と、ディフューザ流路３１を通った圧縮流体が流入する吐出室３２とを備えている。
【００３３】
ディフューザ流路３１は、フロントハウジング２１の他端面２１ｃとモータハウジング２２の第１底面２２ｂとによって区画された流路である。ディフューザ流路３１は、インペラ室Ａ１よりも回転軸１２の径方向外側に配置されており、インペラ１４（及びインペラ室Ａ１）を囲むように環状に形成されている。
【００３４】
吐出室３２は、ディフューザ流路３１よりも回転軸１２の径方向外側に配置された環状の室である。インペラ室Ａ１と吐出室３２とはディフューザ流路３１を介して連通している。インペラ１４によって圧縮された圧縮流体は、ディフューザ流路３１を通ることによって、更に圧縮されて吐出室３２に流れ、当該吐出室３２から、ハウジング１１に形成された吐出口３３を介して吐出される。
【００３５】
すなわち、流体は、基本的には、吸入口２０→吸入室Ａ２→インペラ室Ａ１→ディフューザ流路３１→吐出室３２→吐出口３３の順に流れる。なお、本実施形態において、上流又は下流とは、上記流体の流れを基準にする。
【００３６】
なお、圧縮流体とは、インペラ１４によって圧縮された流体だけでなく、ディフューザ流路３１を通ることによって更に圧縮された流体を含む。すなわち、圧縮流体とは、少なくともインペラ１４の回転によって圧縮され、吸入口２０から吸入された吸入流体よりも高圧になった流体を意味する。
【００３７】
エンドプレート２３は、モータハウジング２２の外径と同一径の円板状であり、エンドプレート２３の板厚方向と回転軸１２の軸線方向Ｚとは一致している。モータハウジング２２の軸線方向の開口端は、エンドプレート２３におけるモータハウジング２２側の第１板面２３ａに突き合わさっている。モータハウジング２２及びエンドプレート２３によって、電動モータ１３を収容するモータ室Ａ３が区画されている。
【００３８】
図１に示すように、エンドプレート２３には、第１板面２３ａから立設した第１ボス２３ｂと、第１ボス２３ｂごと回転軸１２の軸線方向Ｚに貫通したプレート貫通孔２３ｃと、が設けられている。プレート貫通孔２３ｃは回転軸１２の軸線方向Ｚから見て本体部１２ａより一回り大きい円形である。第１ボス２３ｂは、プレート貫通孔２３ｃが設けられている関係上、全体として円筒状となっている。回転軸１２の本体部１２ａは、プレート貫通孔２３ｃに挿通されている。そして、プレート貫通孔２３ｃ内、詳細にはプレート貫通孔２３ｃの内面と回転軸１２の外周面との間には、回転軸１２を回転可能に支持する第１ラジアル軸受４１が設けられている。
【００３９】
モータハウジング２２の底部２２ａには、モータハウジング２２の底部２２ａにおける第１底面２２ｂとは反対側の第２底面２２ｄから立設した円筒状の第２ボス２２ｅが設けられている。第２ボス２２ｅは、底部貫通孔２２ｃよりも大きい内径を有する円筒状であり、底部貫通孔２２ｃよりも回転軸１２の径方向外側に配置されている。回転軸１２の本体部１２ａは第２ボス２２ｅ内に入り込んでいる。そして、第２ボス２２ｅ内、詳細には第２ボス２２ｅの内面と回転軸１２の外周面との間には、回転軸１２を回転可能に支持する第２ラジアル軸受４２が設けられている。これら両ラジアル軸受４１，４２によって、回転軸１２は回転可能な状態でハウジング１１に支持されている。なお、両ラジアル軸受４１，４２の具体的な構成は任意であるが、例えば回転軸１２の回転に伴って発生する動圧によって非接触で回転軸１２を支持する動圧軸受等が考えられる。
【００４０】
図１に示すように、電動モータ１３は、回転軸１２（詳細には回転軸１２の本体部１２ａ）に固定されたロータ５１と、ロータ５１に対して回転軸１２の径方向外側に配置されるものであってモータハウジング２２の内面に固定されたステータ５２とを備えている。ステータ５２は、円筒状のステータコア５３と、ステータコア５３に捲回されたコイル５４とを備えている。コイル５４に電流が流れることによって、ロータ５１と回転軸１２とが一体的に回転する。
【００４１】
リアハウジング２４は、回転軸１２の基端部１２ｃを収容している。リアハウジング２４は、例えば一方が開口した有底円筒状であり、リアハウジング２４の開口端部とエンドプレート２３における第１板面２３ａとは反対側の第２板面２３ｄとが突き合わさっている。リアハウジング２４の底部における第２板面２３ｄと対向する面とは反対側の面２４ａが、ハウジング１１の軸線方向の両端面１１ａ，１１ｂのうち一端面１１ａとは反対側の他端面１１ｂを構成している。
【００４２】
エンドプレート２３とリアハウジング２４とによって区画された空間内には、回転軸１２の基端部１２ｃに固定された平板リング状のスラストライナ６１と、該スラストライナ６１に対して回転軸１２の軸線方向Ｚの両側に設けられたスラスト軸受６２とが収容されている。
【００４３】
ここで、本実施形態の遠心圧縮機１０は、吸入流体と圧縮流体との圧力比である圧縮比ＣＲを調整するための構成を備えている。当該構成について以下に詳細に説明する。
図１に示すように、遠心圧縮機１０は、圧縮流体の一部をインペラ１４の吸入側に戻すバイパス流路７１を備えている。バイパス流路７１は、フロントハウジング２１内に形成されており、吐出室３２と、フロントハウジング２１のコンプ貫通孔２１ａ内におけるインペラ１４よりも上流側の空間である吸入室Ａ２とを連通している。詳細には、バイパス流路７１における一方の開口である第１開口７１ａは、吐出室３２を区画する区画壁に設けられている。バイパス流路７１における第１開口７１ａとは反対側の開口である第２開口７１ｂは、フロントハウジング２１のコンプ貫通孔２１ａの内面のうちインペラ１４（詳細にはインペラ１４の先端面１４ｂ）よりも上流側の位置、詳細には吸入室Ａ２を区画する壁面に設けられている。
【００４４】
図１に示すように、遠心圧縮機１０は、バイパス流路７１上に設けられた制御弁としての電磁弁（弁）７２を備えている。バイパス流路７１は、電磁弁７２によって、圧力が相違する２つの空間に分割されている。詳細には、バイパス流路７１は、電磁弁７２よりも第１開口７１ａ側の空間である高圧空間７３と、電磁弁７２よりも第２開口７１ｂ側の空間である低圧空間７４とに分割されている。高圧空間７３は、インペラ１４の吐出側である吐出室３２と連通しているとともに圧縮流体が存在している。低圧空間７４は、インペラ１４の吸入側である吸入室Ａ２と連通しているとともに吸入流体が存在している。空間内に存在する流体の圧力が違うため、高圧空間７３は低圧空間７４よりも高圧である。
【００４５】
電磁弁７２は、高圧空間７３と低圧空間７４とを連通させる開放状態、又は、高圧空間７３と低圧空間７４とを遮断する閉鎖状態に切り替わる。電磁弁７２が開放状態である場合、バイパス流路７１を介して、吐出室３２と吸入室Ａ２とが連通する。この場合、吸入室Ａ２への圧縮流体の移動が可能となる。一方、電磁弁７２が閉鎖状態である場合、吐出室３２と吸入室Ａ２とは遮断されるため、バイパス流路７１を介した圧縮流体の移動は規制されている。
【００４６】
図１及び図２に示すように、遠心圧縮機１０は、圧縮比ＣＲに応じて変位する可動部８１を有する圧力比センサ８０を備えている。圧力比センサ８０は、フロントハウジング２１におけるコンプ貫通孔２１ａに対してバイパス流路７１とは反対側に配置されている。
【００４７】
フロントハウジング２１内には、インペラ１４の吐出側（詳細には吐出室３２）と連通している高圧側センサ空間８２と、インペラ１４の吸入側（詳細には吸入室Ａ２）と連通している低圧側センサ空間８３と、両センサ空間８２，８３を仕切る仕切壁部８４とが設けられている。高圧側センサ空間８２には圧縮流体が存在しており、低圧側センサ空間８３には吸入流体が存在している。
【００４８】
可動部８１は、例えば棒状であって、仕切壁部８４に形成された貫通孔８４ａに挿通されている。可動部８１は、両センサ空間８２，８３の双方に跨って配置されている。可動部８１の長手方向と、仕切壁部８４の厚さ方向とが一致している。
【００４９】
図２に示すように、圧力比センサ８０は、可動部８１における高圧側センサ空間８２内に配置された部分を覆う高圧側カバー部材９１と、可動部８１における低圧側センサ空間８３内に配置された部分を覆う低圧側カバー部材１０１とを備えている。
【００５０】
カバー部材９１，１０１は、全体として有底筒状に形成されている。高圧側カバー部材９１は、圧縮流体の圧力ＰＨを受ける高圧側受圧面９２ａを有する高圧側受圧部９２を備え、低圧側カバー部材１０１は、吸入流体の圧力ＰＬを受ける低圧側受圧面１０２ａを有する低圧側受圧部１０２を備えている。受圧部９２，１０２は、カバー部材９１，１０１の底部に相当する。両受圧部９２，１０２（詳細には両受圧面９２ａ，１０２ａ）は、両受圧面９２ａ，１０２ａと直交する方向に対向配置されている。受圧部９２，１０２は、薄膜状であって、両受圧面９２ａ，１０２ａの対向方向に弾性変形可能である。受圧面９２ａ，１０２ａは、受圧部９２，１０２におけるセンサ空間８２，８３に露出している面である。また、受圧部９２，１０２は、受圧面９２ａ，１０２ａとは反対側の面であって可動部８１と当接している当接面９２ｂ，１０２ｂを備えている。なお、本実施形態では、両受圧面９２ａ，１０２ａの対向方向と可動部８１の長手方向とは一致しており、上記対向方向と回転軸１２の軸線方向Ｚとは一致している。
【００５１】
カバー部材９１，１０１は、受圧部９２，１０２を支持する支持部９３，１０３を備えている。支持部９３，１０３は、カバー部材９１，１０１の側壁部に相当する。支持部９３，１０３は、両受圧面９２ａ，１０２ａの対向方向に伸縮可能となるように蛇腹筒状に形成されている。支持部９３，１０３は、可動部８１を回転軸１２の径方向外側から覆った状態で、仕切壁部８４と受圧部９２，１０２とを連結している。受圧部９２，１０２は、支持部９３，１０３によって上記対向方向に変位可能となっている。
【００５２】
両カバー部材９１，１０１の内側には、両カバー部材９１，１０１によって区画された密閉空間１１０が形成されている。当該密閉空間１１０は、例えば真空状態となっている。可動部８１は密閉空間１１０内に配置されている。
【００５３】
かかる構成によれば、図２に示すように、両受圧面９２ａ，１０２ａには、互いに逆向きの押圧力ＦＨ，ＦＬが付与される。詳細には、高圧側受圧面９２ａには、当該高圧側受圧面９２ａと直交する方向であって当該高圧側受圧面９２ａが仕切壁部８４に近づく方向の押圧力である高圧側押圧力ＦＨが付与される。一方、低圧側受圧面１０２ａには、当該低圧側受圧面１０２ａと直交する方向であって当該低圧側受圧面１０２ａが仕切壁部８４に近づく方向の押圧力である低圧側押圧力ＦＬが付与される。換言すれば、高圧側押圧力ＦＨの方向は高圧側受圧面９２ａの受圧方向とも言え、低圧側押圧力ＦＬの方向は低圧側受圧面１０２ａの受圧方向とも言える。両受圧面９２ａ，１０２ａの受圧方向は、互いに逆向きとなっている。
【００５４】
ここで、高圧側押圧力ＦＨは、圧縮流体の圧力ＰＨと高圧側受圧面９２ａの面積ＳＨとに依存し、低圧側押圧力ＦＬは、吸入流体の圧力ＰＬと低圧側受圧面１０２ａの面積ＳＬとに依存する。かかる構成において、両受圧面９２ａ，１０２ａの面積比ＲＳは、予め定められた閾値圧縮比ＣＲｔｈに対応させて設定されている。詳細には、高圧側受圧面９２ａに対する低圧側受圧面１０２ａの面積比ＲＳは閾値圧縮比ＣＲｔｈに設定されている。
【００５５】
ここで、閾値圧縮比ＣＲｔｈとは、例えばインペラ１４の表面からの冷媒の剥離が発生する圧縮比ＣＲである。詳細には、閾値圧縮比ＣＲｔｈは、インペラ１４を流れる冷媒の速度が音速に達する圧縮比ＣＲであり、例えば「４」である。なお、閾値圧縮比ＣＲｔｈが「４」である場合には、上記面積比ＲＳは「４」に設定されている。
【００５６】
可動部８１は、両受圧部９２，１０２によって挟まれていることによって保持されている。可動部８１は、高圧側押圧力ＦＨと低圧側押圧力ＦＬとの合力に応じて対向方向に変位する。例えば、圧縮比ＣＲが閾値圧縮比ＣＲｔｈである場合には、高圧側押圧力ＦＨとは低圧側押圧力ＦＬとは同一となるため、両者の合力は「０」となる。この場合における可動部８１及び両受圧部９２，１０２の状態を平衡状態とする。
【００５７】
これに対して、例えば圧縮比ＣＲが閾値圧縮比ＣＲｔｈよりも高くなると、高圧側押圧力ＦＨが低圧側押圧力ＦＬよりも高くなる。すると、両押圧力ＦＨ，ＦＬの合力によって両受圧部９２，１０２の変位及び変形が生じる。詳細には、図３に示すように、高圧側受圧部９２は、平衡状態時よりも仕切壁部８４に近づくとともに凹む。一方、低圧側受圧部１０２は、平衡状態時よりも仕切壁部８４から離れるとともに膨らむ。この場合、可動部８１は、平衡状態時よりも高圧側センサ空間８２側に変位する。なお、対向方向に伸縮可能な蛇腹状の高圧側支持部９３は対向方向に縮む一方、同じく対向方向に伸縮可能な蛇腹状の低圧側支持部１０３は対向方向に伸びる。
【００５８】
一方、圧縮比ＣＲが閾値圧縮比ＣＲｔｈよりも低くなると、低圧側押圧力ＦＬが高圧側押圧力ＦＨよりも高くなる。すると、低圧側受圧部１０２は、両押圧力ＦＨ，ＦＬの合力によって、平衡状態から仕切壁部８４に向けて近づくとともに凹む。一方、高圧側受圧部９２は、上記合力によって、平衡状態から仕切壁部８４から離れるとともに膨らむ。この場合、可動部８１は、平衡状態時よりも低圧側センサ空間８３側に変位する。なお、低圧側支持部１０３は対向方向に縮む一方、高圧側支持部９３は対向方向に伸びる。
【００５９】
図２及び図３に示すように、圧力比センサ８０は、可動部８１の変位を検知する変位検知センサとしての距離センサ１１１を備えている。距離センサ１１１は、低圧側センサ空間８３を区画する壁部のうち可動部８１の端部に対して両受圧面９２ａ，１０２ａの対向方向に対向する位置に設けられている。この場合、低圧側受圧部１０２における可動部８１の端部との当接箇所１０２ｃと距離センサ１１１とが対向している。距離センサ１１１は、上記対向方向における距離センサ１１１から、低圧側受圧面１０２ａにおける当接箇所１０２ｃに対応する部分までのギャップ（距離）ｄを検知する。
【００６０】
ギャップｄは、圧縮比ＣＲに応じて変動する。詳細には、平衡状態時のギャップｄを閾値ギャップｄｔｈとすると、圧縮比ＣＲが閾値圧縮比ＣＲｔｈである場合には、ギャップｄは閾値ギャップｄｔｈとなる。そして、圧縮比ＣＲが閾値圧縮比ＣＲｔｈよりも高い場合には、ギャップｄは閾値ギャップｄｔｈよりも小さくなる一方、圧縮比ＣＲが閾値圧縮比ＣＲｔｈよりも低い場合には、ギャップｄは閾値ギャップｄｔｈよりも大きくなる。
【００６１】
遠心圧縮機１０は、距離センサ１１１の検知結果に基づいて、電磁弁７２を制御する制御部１２０を備えている。制御部１２０は、遠心圧縮機１０の運転中、電磁弁７２の制御を通じて圧縮比ＣＲを制御する圧縮比制御処理を定期的に実行する。当該圧縮比制御処理について図４を用いて説明する。
【００６２】
図４に示すように、制御部１２０は、まずステップＳ１０１にて、距離センサ１１１の検知結果に基づいて、ギャップｄを把握する。続くステップＳ１０２では、制御部１２０は、電磁弁７２が閉鎖状態であるか否かを判定する。制御部１２０は、電磁弁７２が閉鎖状態である場合には、ステップＳ１０３に進み、ステップＳ１０１にて把握されたギャップｄが予め定められた閾値ギャップｄｔｈ未満であるか否かを判定する。
【００６３】
圧縮比ＣＲが閾値ギャップｄｔｈ以上である場合、圧縮比ＣＲが閾値圧縮比ＣＲｔｈ以下となっていることを意味する。この場合、制御部１２０は、ステップＳ１０３を否定判定し、そのまま本圧縮比制御処理を終了する。
【００６４】
一方、圧縮比ＣＲが閾値ギャップｄｔｈ未満である場合には、圧縮比ＣＲが閾値圧縮比ＣＲｔｈよりも高くなっていることを意味する。この場合、制御部１２０は、ステップＳ１０３を肯定判定し、ステップＳ１０４にて、電磁弁７２を閉鎖状態から開放状態に切り替えて、本圧縮比制御処理を終了する。すなわち、制御部１２０は、電磁弁７２が閉鎖状態である状況において圧縮比ＣＲが閾値圧縮比ＣＲｔｈよりも高くなることに基づいて、電磁弁７２を、閉鎖状態から開放状態に切り替える。
【００６５】
なお、ギャップｄが閾値ギャップｄｔｈ未満となることに基づいて、電磁弁７２が閉鎖状態から開放状態に切り替わることに着目すれば、本実施形態では、ギャップｄが閾値ギャップｄｔｈ未満となるような可動部８１の位置が「切替位置」に対応する。
【００６６】
また、制御部１２０は、電磁弁７２が閉鎖状態でない場合、すなわち電磁弁７２が開放状態である場合には、ステップＳ１０２を否定判定し、ステップＳ１０５に進み、ギャップｄが閾値ギャップｄｔｈ以上となっているか否かを判定する。制御部１２０は、ギャップｄが閾値ギャップｄｔｈ未満である場合には、そのまま本圧縮比制御処理を終了する。一方、制御部１２０は、ギャップｄが閾値ギャップｄｔｈ以上である場合には、ステップＳ１０６に進み、電磁弁７２を開放状態から閉鎖状態に切り替えて、本圧縮比制御処理を終了する。
【００６７】
すなわち、制御部１２０は、圧縮比ＣＲが閾値圧縮比ＣＲｔｈよりも高い場合には、電磁弁７２を開放状態にする一方、圧縮比ＣＲが閾値圧縮比ＣＲｔｈ以下である場合には、電磁弁７２を閉鎖状態にする。
【００６８】
次に本実施形態の作用について説明する。
圧縮比ＣＲに応じて、可動部８１に付与される高圧側押圧力ＦＨと低圧側押圧力ＦＬとの合力が変動し、それにより可動部８１が変位する。その結果、距離センサ１１１によって検知されるギャップｄが変動する。そして、上記ギャップｄに基づいて、電磁弁７２が制御される。詳細には、電磁弁７２は、ギャップｄが閾値ギャップｄｔｈ未満となるような位置に可動部８１が配置されている場合には開放状態となり、ギャップｄが閾値ギャップｄｔｈ以下となるような位置に可動部８１が配置されている場合には閉鎖状態となる。
【００６９】
以上詳述した本実施形態によれば以下の効果を奏する。
（１）遠心圧縮機１０は、回転軸１２と、回転軸１２の回転に伴って回転することにより流体を圧縮して吐出するインペラ１４と、を備えている。遠心圧縮機１０は、インペラ１４に向けて吸入される吸入流体の圧力ＰＬ及びインペラ１４の回転によって圧縮された圧縮流体の圧力ＰＨの比率である圧縮比ＣＲに応じて変位する可動部８１を有する圧力比センサ８０と、これら回転軸１２、インペラ１４及び圧力比センサ８０が収容されているハウジング１１とを備えている。ハウジング１１内には、インペラ１４の吐出側と連通しているとともに圧縮流体が存在する高圧空間７３と、インペラ１４の吸入側と連通しているとともに吸入流体が存在する低圧空間７４とが設けられている。そして、遠心圧縮機１０は、可動部８１の位置に応じて、高圧空間７３と低圧空間７４とを連通させる開放状態、又は、高圧空間７３と低圧空間７４とを遮断する閉鎖状態に切り替わる電磁弁７２を備えている。
【００７０】
かかる構成によれば、可動部８１は圧縮比ＣＲに応じて変位し、その可動部８１の位置に応じて、電磁弁７２の状態が切り替わる。また、電磁弁７２が開放状態である場合には、高圧空間７３の圧縮流体が低圧空間７４に向けて流れ込むため、インペラ１４の吸入側（詳細には吸入室Ａ２）の圧力が高くなり、圧縮比ＣＲが低くなる。これにより、圧縮比ＣＲに応じて、電磁弁７２を開放状態又は閉鎖状態にすることができ、それを通じて圧縮比ＣＲが過度に高くなることを抑制できる。
【００７１】
特に、本実施形態では、吸入流体の圧力ＰＬを検知するセンサと、圧縮流体の圧力ＰＨを検知するセンサとの双方を設けたり、圧縮比ＣＲを算出する演算を行ったりすることなく、圧縮比ＣＲの調整を行うことができるため、構成の簡素化を図ることができる。
【００７２】
（２）圧力比センサ８０は、圧縮流体の圧力ＰＨを受ける高圧側受圧面９２ａと、高圧側受圧面９２ａと対向配置されているものであって、高圧側受圧面９２ａの受圧方向とは反対方向から吸入流体の圧力ＰＬを受ける低圧側受圧面１０２ａとを備えている。可動部８１は、高圧側受圧面９２ａに付与される高圧側押圧力ＦＨと、低圧側受圧面１０２ａに付与されるものであって高圧側押圧力ＦＨとは反対方向の低圧側押圧力ＦＬとの合力に応じて、両受圧面９２ａ，１０２ａの対向方向に変位するものである。かかる構成によれば、両押圧力ＦＨ，ＦＬの合力は、圧縮比ＣＲに応じて変動し、当該合力に応じて可動部８１の位置が変動する。これにより、圧縮比ＣＲに応じて可動部８１が変位することとなる。よって、（１）の効果を得ることができる。
【００７３】
（３）圧力比センサ８０は、高圧側受圧面９２ａを有する高圧側受圧部９２と、低圧側受圧面１０２ａを有する低圧側受圧部１０２とを備えている。可動部８１は、両受圧部９２，１０２の間に挟まれており、高圧側受圧部９２及び低圧側受圧部１０２が上記合力により対向方向に変位及び変形することに基づいて対向方向に変位する。かかる構成によれば、可動部８１は、合力に応じた位置に自ずと配置されることとなる。これにより、可動部８１を変位させるアクチュエータ等を設けることなく、可動部８１を圧縮比ＣＲに対応した位置に配置させることができるため、構成の複雑化を抑制できる。
【００７４】
（４）圧力比センサ８０は、可動部８１の変位を検知する変位検知センサとして、可動部８１とのギャップｄを検知する距離センサ１１１を備えている。そして、遠心圧縮機１０は、距離センサ１１１の検知結果に基づいて、電磁弁７２を開放状態又は閉鎖状態に制御する制御部１２０を備えている。かかる構成によれば、可動部８１の変位を好適に把握でき、その把握結果に基づいて電磁弁７２を制御することを通じて、圧縮比ＣＲの調整を好適に行うことができる。
【００７５】
（５）制御部１２０は、ギャップｄが閾値ギャップｄｔｈ未満となることに基づいて、電磁弁７２を閉鎖状態から開放状態に切り替える。すなわち、電磁弁７２が閉鎖状態から開放状態に切り替わる契機となる可動部８１の位置である切替位置は、ギャップｄが閾値ギャップｄｔｈ未満となる可動部８１の位置である。
【００７６】
かかる構成において、両受圧面９２ａ，１０２ａの面積比ＲＳは、圧縮比ＣＲが予め定められた閾値圧縮比ＣＲｔｈよりも高くなったことに基づいて可動部８１が切替位置に配置されるように、閾値圧縮比ＣＲｔｈに対応させて設定されている。例えば、平衡状態時におけるギャップｄが閾値ギャップｄｔｈに設定されている本実施形態においては、面積比ＲＳは、閾値圧縮比ＣＲｔｈと同一に設定されている。かかる構成によれば、圧縮比ＣＲが閾値圧縮比ＣＲｔｈよりも高くなったことに基づいて、電磁弁７２が閉鎖状態から開放状態に切り替わる。これにより、圧縮流体が低圧空間７４に流れ込み、圧縮比ＣＲが低下する。よって、圧縮比ＣＲが閾値圧縮比ＣＲｔｈよりも高い状況が継続されることを抑制できる。
【００７７】
（第２実施形態）
本実施形態では、図５に示すように、バイパス流路７１及び電磁弁７２が省略されている。これに代えて、遠心圧縮機１０は、可動部８１の変位に応じて自動で開閉する弁１３０を備えている。当該弁１３０などについて以下に詳細に説明する。
【００７８】
図５及び図６に示すように、フロントハウジング２１内には、高圧側センサ空間８２とは別に、インペラ１４の吐出側である吐出室３２と連通しているバイパス高圧空間１３１が形成されている。バイパス高圧空間１３１内には圧縮流体が存在している。バイパス高圧空間１３１の一部は、低圧側センサ空間８３に対して高圧側センサ空間８２とは反対側に配置されており、両者は隔壁部１３２によって仕切られている。本実施形態では、バイパス高圧空間１３１が「高圧空間」に対応し、低圧側センサ空間８３が「低圧空間」に対応する。
【００７９】
図６及び図７に示すように、隔壁部１３２には、該隔壁部１３２を貫通しているものであって、低圧側センサ空間８３とバイパス高圧空間１３１とを連通させる連通孔１３３が形成されている。連通孔１３３は、隔壁部１３２のうち可動部８１に対して回転軸１２の軸線方向Ｚ（換言すれば両受圧面９２ａ，１０２ａの対向方向）に対向する部位に設けられている。連通孔１３３は、バイパス高圧空間１３１に開口し、且つ、低圧側センサ空間８３に向かうに従って徐々に先細りとなったテーパ孔１３４と、テーパ孔１３４の先端と連続し、且つ、低圧側センサ空間８３側に向けて開口した定径孔１３５とを有している。
【００８０】
弁１３０は、テーパ孔１３４の形状に対応させて形成されており、詳細にはテーパ孔１３４の内面１３４ａと同一形状のテーパ面１３０ａを有する円錐台形状となっている。
弁１３０は、テーパ孔１３４を塞いだ閉鎖位置と、テーパ孔１３４を塞がない開放位置との間を移動可能となっている。図６及び図７に示すように、閉鎖位置とは、弁１３０のテーパ面１３０ａとテーパ孔１３４の内面１３４ａとが当接している位置であり、弁１３０が閉鎖位置に配置されている場合、バイパス高圧空間１３１と低圧側センサ空間８３とは遮断されている。閉鎖位置が閉鎖状態に対応する。
【００８１】
図８及び図９に示すように、開放位置とは、閉鎖位置よりもバイパス高圧空間１３１側であって、弁１３０のテーパ面１３０ａとテーパ孔１３４の内面１３４ａとが離間している位置である。弁１３０が開放位置に配置されている場合、バイパス高圧空間１３１と低圧側センサ空間８３とが連通孔１３３を介して連通している。開放位置が開放状態に対応する。
【００８２】
遠心圧縮機１０は、弁１３０と低圧側受圧部１０２とを連結する連結部１３６を備えている。連結部１３６は、例えば定径孔１３５よりも一回り小さく形成され、且つ、両受圧面９２ａ，１０２ａの対向方向に延びた棒状である。連結部１３６は、弁１３０の先端部と低圧側受圧部１０２の当接箇所１０２ｃとを連結している。連結部１３６は、両受圧面９２ａ，１０２ａの対向方向に移動可能である一方、当該対向方向に伸縮しないように構成されている。
【００８３】
かかる構成によれば、例えば図８及び図９に示すように、ギャップｄが小さくなる方向への可動部８１及び低圧側受圧部１０２の変位と低圧側受圧部１０２の変形とが生じると、それに伴って連結部１３６がバイパス高圧空間１３１側に向けて移動し、その結果、弁１３０がバイパス高圧空間１３１内に入り込む。すなわち、連結部１３６は、可動部８１の位置に応じて移動するものであり、その移動によって弁１３０を移動させる。
【００８４】
また、連結部１３６は、圧縮比ＣＲが閾値圧縮比ＣＲｔｈとなっている平衡状態時には弁１３０が閉鎖位置に配置される一方、圧縮比ＣＲが閾値圧縮比ＣＲｔｈよりも高い場合には弁１３０が開放位置に配置されるように弁１３０を移動させるものである。例えば、連結部１３６の長手方向の長さは、閉鎖位置にある弁１３０と平衡状態時の低圧側受圧部１０２とを連結するように設定されている。本実施形態では、連結部１３６が「移動部」に対応する。換言すれば、連結部１３６は、可動部８１の変位を弁１３０に伝達させることにより弁１３０を閉鎖位置又は開放位置に移動させる伝達部と言える。
【００８５】
ちなみに、弁１３０が開放位置に配置されている状況から圧縮比ＣＲが閾値圧縮比ＣＲｔｈ以下となると、可動部８１及び連結部１３６が低圧側センサ空間８３側に変位（移動）することに伴って弁１３０は閉鎖位置に配置される。
【００８６】
なお、弁１３０の基端面の面積は、両受圧面９２ａ，１０２ａの面積ＳＨ，ＳＬに対して十分に小さく設定されている。このため、弁１３０の基端面から受ける圧縮流体の圧力ＰＨの影響は小さい。なお、図示の都合上、弁１３０は実際よりも大きく示している。
【００８７】
また、圧縮比ＣＲが閾値圧縮比ＣＲｔｈよりも低い場合には、低圧側受圧部１０２は平衡状態時よりも低圧側センサ空間８３に向けて変位しようとするが、当該変位は弁１３０のテーパ面１３０ａとテーパ孔１３４の内面１３４ａとの当接によって規制されている。
【００８８】
次に本実施形態の作用について説明する。
圧縮比ＣＲが閾値圧縮比ＣＲｔｈよりも高くなると、可動部８１が平衡状態時よりもバイパス高圧空間１３１側に変位して、弁１３０が閉鎖位置から開放位置に移動する。すると、バイパス高圧空間１３１の圧縮流体が連通孔１３３を介して低圧側センサ空間８３に流れ込み、低圧側センサ空間８３を通ってインペラ１４の吸入側（詳細には吸入室Ａ２）に流れ込む。これにより、圧縮比ＣＲが低下する。そして、圧縮比ＣＲが閾値圧縮比ＣＲｔｈ以下となると、可動部８１が平衡状態時の位置に配置される。すると、弁１３０が開放位置から閉鎖位置に移動し、圧縮流体の低圧側センサ空間８３への流入が規制される。すなわち、低圧側センサ空間８３は、低圧側受圧面１０２ａに吸入流体の圧力ＰＬを付与するものとして機能しているとともに、圧縮流体をインペラ１４の吸入側に戻す経路の一部としても機能している。
【００８９】
以上詳述した本実施形態によれば（１）〜（３）の効果に加えて以下の効果を奏する。
（６）弁１３０は、開放状態に対応する開放位置と、閉鎖状態に対応する閉鎖位置との間を移動可能であり、遠心圧縮機１０は、可動部８１の位置（換言すれば変位）に応じて移動することにより、弁１３０を開放位置又は閉鎖位置に移動させる移動部としての連結部１３６を備えている。かかる構成によれば、可動部８１の位置に応じて、自ずと弁１３０が開放位置又は閉鎖位置に配置されることとなる。これにより、距離センサ１１１を設けたり、制御部１２０による圧縮比制御処理を実行したりすることなく、圧縮比ＣＲの調整ができる。
【００９０】
（第３実施形態）
本実施形態では、図１０に示すように、遠心圧縮機１０は、第１インペラ１４１及び第２インペラ１４２を備えている。第１インペラ１４１は、第１実施形態等のインペラ１４と同一であり、基端面１４１ａから先端面１４１ｂに向かうに従って徐々に縮径した円錐台形状である。
【００９１】
また、本実施形態では、ハウジング１１は、フロントハウジング２１に代えて、第１インペラ１４１が収容された第１コンプハウジング１４３と、第２インペラ１４２が収容された第２コンプハウジング１４４と、両コンプハウジング１４３，１４４の間に設けられたコンププレート１４５とを備えている。第１コンプハウジング１４３、第２コンプハウジング１４４及びコンププレート１４５は、回転軸１２の軸線方向Ｚに配列されており、両コンプハウジング１４３，１４４によってコンププレート１４５が挟まれた状態でユニット化されている。
【００９２】
第１コンプハウジング１４３は、第１コンプ貫通孔１４３ａを有する筒状である。第１コンプ貫通孔１４３ａは、第１実施形態のコンプ貫通孔２１ａと同様の構成であり、第１コンプ貫通孔１４３ａにおけるコンププレート１４５側とは反対側の開口が吸入口１４６となっている。そして、第１コンプ貫通孔１４３ａの内面とコンププレート１４５の第１コンプハウジング１４３側の板面とによって、第１インペラ１４１を収容する第１インペラ室Ａ１１が区画されている。そして、第１コンプ貫通孔１４３ａにおける第１インペラ室Ａ１１と吸入口１４６との間には、吸入室Ａ２が設けられている。
【００９３】
また、ハウジング１１は、第１インペラ室Ａ１１に対して回転軸１２の径方向外側に配置された円環状の第１ディフューザ流路１５１と、第１ディフューザ流路１５１を介して第１インペラ室Ａ１１と連通している第１吐出室１５２とを有している。これら第１インペラ室Ａ１１、第１ディフューザ流路１５１及び第１吐出室１５２については、第１実施形態の対応する構成と基本的には同一であるため、詳細な説明を省略する。
【００９４】
第２コンプハウジング１４４は、軸線方向が回転軸１２の軸線方向Ｚと一致している円筒状であり、モータハウジング２２とコンププレート１４５との双方に当接している。第２コンプハウジング１４４におけるモータハウジング２２側の面には、当該面から凹んだ凹部１４４ａが形成されている。そして、凹部１４４ａの底面には、第２コンプハウジング１４４を回転軸１２の軸線方向Ｚに貫通する第２コンプ貫通孔１４４ｂが形成されている。第２コンプ貫通孔１４４ｂは、第１コンプ貫通孔１４３ａと左右対称の形状となっている。第２コンプ貫通孔１４４ｂの内面とコンププレート１４５における第２コンプハウジング１４４側の板面とによって、第２インペラ１４２を収容する第２インペラ室Ａ１２が区画されている。第２インペラ１４２は、第１インペラ１４１と同様に、基端面１４２ａから先端面１４２ｂに向かうに従って徐々に縮径した円錐台形状である。
【００９５】
また、ハウジング１１は、第２インペラ室Ａ１２に対して回転軸１２の径方向外側に配置された円環状の第２ディフューザ流路１５３と、第２ディフューザ流路１５３を介して第２インペラ室Ａ１２と連通している第２吐出室１５４とを有している。これら第２ディフューザ流路１５３及び第２吐出室１５４は、基本的には、第１ディフューザ流路１５１及び第１吐出室１５２と同様の構成である。また、ハウジング１１には、第２吐出室１５４と連通しているものであって第２吐出室１５４の流体が吐出される吐出口１５５が形成されている。本実施形態では、吐出口１５５から吐出される流体が凝縮器２０１に供給され、蒸発器２０４から吐出される流体が吸入口１４６に供給される。
【００９６】
回転軸１２の先端部１２ｂは、コンププレート１４５に形成されたプレート貫通孔１４５ａに挿通されており、両インペラ室Ａ１１，Ａ１２の双方に跨って配置されている。そして、第１インペラ１４１と第２インペラ１４２とは、互いに基端面１４１ａ，１４２ａ同士が対向するように回転軸１２の先端部１２ｂに取り付けられている。
【００９７】
図１０に示すように、モータハウジング２２の底部２２ａには、回転軸１２が挿通されるとともにモータ室Ａ３と第２インペラ室Ａ１２とを連通させるための底部連通孔１５６が形成されている。底部連通孔１５６は、モータハウジング２２の底部２２ａにおいて回転軸１２の軸線方向Ｚから見て第２ボス２２ｅと重なる部分及び第２ボス２２ｅの周囲の部分との双方に跨って形成されており、回転軸１２の軸線方向Ｚから見て凹部１４４ａと重なっている。モータ室Ａ３と第２インペラ室Ａ１２とは、底部連通孔１５６及び凹部１４４ａを介して連通している。
【００９８】
なお、底部連通孔１５６は、第２ボス２２ｅの全周に亘って形成されているのではなく、回転軸１２の周方向に所定の間隔を隔てて複数配列された状態で設けられている。このため、モータハウジング２２の底部２２ａと第２ボス２２ｅとは一体化されている。
【００９９】
ハウジング１１は、第１吐出室１５２とモータ室Ａ３とを連通させる中間圧ポート１５７を有している。中間圧ポート１５７は、コンププレート１４５、第２コンプハウジング１４４及びモータハウジング２２の底部２２ａを貫通している。
【０１００】
かかる構成によれば、流体は、吸入口１４６→吸入室Ａ２→第１インペラ室Ａ１１→第１ディフューザ流路１５１→第１吐出室１５２→中間圧ポート１５７→モータ室Ａ３→第２インペラ室Ａ１２→第２ディフューザ流路１５３→第２吐出室１５４の順に流れる。この場合、吸入口１４６から吸入された低圧流体は、第１インペラ１４１の回転、及び、第１ディフューザ流路１５１の通過によって圧縮される。これにより、第１吐出室１５２には、低圧流体よりも高圧の中間圧流体が充填される。当該中間圧流体は、中間圧ポート１５７を介してモータ室Ａ３に流れる。そして、中間圧流体が第２インペラ室Ａ１２に流入し、第２インペラ１４２の回転、及び、第２ディフューザ流路１５３の通過によって更に圧縮される。これにより、第２吐出室１５４には、中間圧流体よりも高圧の高圧流体が充填され、当該高圧流体が吐出口１５５から吐出される。
【０１０１】
すなわち、第１インペラ１４１は、回転することによって低圧流体を圧縮して中間圧流体を生成するものであり、第２インペラ１４２は、回転することによって中間圧流体を圧縮して高圧流体を生成するものである。
【０１０２】
かかる構成において、高圧側センサ空間８２及びバイパス高圧空間１３１は第１吐出室１５２と連通しており、低圧側センサ空間８３は吸入室Ａ２と連通している。そして、遠心圧縮機１０は、中間圧流体の圧力と低圧流体の圧力との圧縮比ＣＲに応じて変位する可動部８１を有する圧力比センサ８０と、可動部８１の位置に応じて、開放位置又は閉鎖位置に配置される弁１３０と、を備えている。
【０１０３】
以上詳述した本実施形態によれば、以下の作用効果を奏する。
（７）遠心圧縮機１０は、回転することによって低圧流体を圧縮して中間圧流体を生成する第１インペラ１４１と、回転することによって中間圧流体を圧縮して高圧流体を生成する第２インペラ１４２とを備えている。これにより、２段階の圧縮が行われるため、各段階の圧縮比ＣＲを低くすることができる。
【０１０４】
かかる構成において、遠心圧縮機１０は、中間圧流体の圧力と低圧流体の圧力との圧縮比ＣＲに応じて変位する可動部８１を有する圧力比センサ８０と、可動部８１の位置に応じて、開放位置又は閉鎖位置に配置される弁１３０とを備えている。これにより、（６）等の効果を奏する。
【０１０５】
ここで、低圧流体の圧力は、車両空調装置２００の動作状況や車両の走行状況等に応じて変動し易い。例えば、車両空調装置２００がヒートポンプとして機能している場合には、低圧流体の圧力が過度に低くなる場合がある。このため、低圧流体の圧力と中間圧流体の圧力との比率は、中間圧流体の圧力と高圧流体の圧力との比率よりも、高くなり易い。よって、低圧流体の圧力と中間圧流体の圧力との比率は、閾値圧縮比ＣＲｔｈよりも高くなる事態が発生し易い。
【０１０６】
この点、本実施形態では、上記のような低圧流体の圧力変動に着目して、弁１３０の開閉制御に用いられる圧縮比ＣＲとして、中間圧流体の圧力と高圧流体の圧力との比率ではなく、低圧流体の圧力と中間圧流体の圧力との比率が採用されている。そして、バイパス高圧空間１３１及び低圧側センサ空間８３を介して、中間圧流体の一部が第１インペラ１４１の吸入側に戻ることが可能となっている。これにより、上記低圧流体の圧力変動に起因する圧縮比ＣＲの過度な上昇に対して好適に対応できる。
【０１０７】
（８）遠心圧縮機１０は、圧縮比ＣＲが閾値圧縮比ＣＲｔｈよりも高い場合には、中間圧流体の一部を第１インペラ１４１の吸入側に戻すように構成されている。これにより、高圧流体の一部を第１インペラ１４１の吸入側に戻す構成と比較して、圧縮比ＣＲを緩やかに低下させることができるため、運転の安定性の更なる向上を図ることができる。
【０１０８】
なお、上記各実施形態は以下のように変更してもよい。
○  図１１に示すように、圧力比センサ８０は、距離センサ１１１に代えて、可動部８１（詳細には低圧側受圧部１０２の当接箇所１０２ｃ）からの荷重を検知する荷重検知センサ（荷重検知部）１６０を備えている構成でもよい。荷重検知センサ１６０は、荷重を検知する検知面１６０ａを有している。当該検知面１６０ａは、平衡状態時における低圧側受圧面１０２ａと接触する位置に配置されている。かかる構成によれば、例えば、圧縮比ＣＲが閾値圧縮比ＣＲｔｈよりも高くなると、可動部８１が検知面１６０ａを押圧する。これにより、検知面１６０ａに荷重が付与される。当該荷重の大きさは、圧縮比ＣＲに依存する。すなわち、検知面１６０ａには、圧縮比ＣＲに応じた荷重が可動部８１によって付与される。換言すれば、本別例においては、可動部８１は、圧縮比ＣＲに応じた荷重を検知面１６０ａに付与する荷重付与部として機能する。
【０１０９】
また、荷重検知センサ１６０は、検知面１６０ａに付与されている荷重を、制御部１２０に定期的に送信する。制御部１２０は、荷重検知センサ１６０の検知結果に基づいて、電磁弁７２を開閉させる。詳細には、圧縮比ＣＲが閾値圧縮比ＣＲｔｈである場合（平衡状態時）における荷重を閾値荷重とする。制御部１２０は、荷重検知センサ１６０にて検知された検知荷重が閾値荷重よりも大きいか否かを判定し、検知荷重が閾値荷重よりも大きい場合には、電磁弁７２を閉鎖状態から開放状態に切り替える。この場合であっても、（１）等の効果を奏する。
【０１１０】
なお、本別例においては、検知面１６０ａと低圧側受圧面１０２ａとの当接によって、可動部８１の変位は規制されている。このため、可動部８１は、圧縮比ＣＲが閾値圧縮比ＣＲｔｈよりも高くなっても変位しない。すなわち、荷重を検知する構成においては、可動部８１の変位は必須ではない。
【０１１１】
○  第１実施形態において、距離センサ１１１に代えて、変形量の一種であるひずみ量を検知するひずみゲージを両受圧面９２ａ，１０２ａのいずれか一方に配置してもよい。この場合、制御部１２０は、ひずみゲージの検知結果に基づいて電磁弁７２を制御するとよい。例えば、平衡状態時におけるひずみ量を閾値ひずみ量とする。そして、制御部１２０は、ひずみゲージにより検知されたひずみ量が閾値ひずみ量よりも大きい場合には、電磁弁７２を閉鎖状態から開放状態に切り替えるとよい。この場合、低圧側受圧部１０２は、両受圧面９２ａ，１０２ａの対向方向に変形可能である一方、当該対向方向に変位（移動）しないように保持されているとよい。これにより、低圧側受圧部１０２の変位によって、低圧側受圧部１０２の変形が緩和されることを抑制できる。
【０１１２】
○  図１２に示すように、圧力比センサ１７０は、互いに対向する低圧側受圧面１７１ａ及び高圧側受圧面１７１ｂを有する可動部１７１を有する構成であってもよい。可動部１７１は、低圧側受圧面１７１ａを有する低圧側円柱部１７２と、低圧側円柱部１７２における低圧側受圧面１７１ａとは反対側の面１７２ａから起立したものであって、高圧側受圧面１７１ｂを有する高圧側円柱部１７３とを有している。高圧側円柱部１７３の径は、低圧側円柱部１７２の径よりも短く設定されている。
【０１１３】
上記可動部１７１に対応させて、フロントハウジング２１内には、低圧側円柱部１７２の径と同一又はそれよりも若干長い径を有する第１孔１７４と、高圧側円柱部１７３の径と同一又はそれより若干長い径を有する第２孔１７５とが設けられている。第１孔１７４は吸入室Ａ２と連通しており、第２孔１７５は吐出室３２と連通している。第１孔１７４と第２孔１７５とはそれぞれ円柱形状であって、互いの軸線方向が一致する状態で連通している。この場合、第１孔１７４の内面と第２孔１７５の内面との境界には、段差面１７６が形成されている。可動部１７１は、低圧側円柱部１７２における低圧側受圧面１７１ａとは反対側の面１７２ａと段差面１７６とが当接又は対向している状態で配置されている。この場合、低圧側円柱部１７２は第１孔１７４内に配置され、高圧側円柱部１７３は第２孔１７５内に配置されている。両受圧面１７１ｂ，１７１ａの面積比ＲＳは、例えば閾値圧縮比ＣＲｔｈと同一に設定されている。また、第１孔１７４の内面のうち低圧側受圧面１７１ａと対向する部分には、低圧側受圧面１７１ａの変位として低圧側受圧面１７１ａまでのギャップｄを検知する距離センサ１１１が設けられている。
【０１１４】
かかる構成によれば、圧縮比ＣＲが閾値圧縮比ＣＲｔｈ以下である場合には、低圧側円柱部１７２における上記面１７２ａと段差面１７６とが当接しており、当該当接によって可動部１７１が位置決めされている。一方、圧縮比ＣＲが閾値圧縮比ＣＲｔｈよりも高くなると、可動部１７１がギャップｄの小さくなる方向に変位する。これにより、圧縮比ＣＲが閾値圧縮比ＣＲｔｈよりも高くなったことを把握できる。
【０１１５】
○  図１３に示すように、圧力比センサ１８０は、カバー部材９１，１０１に代えて、ドーム形状のダイヤフラム１８１，１８２を備えている構成でもよい。この場合、高圧側ダイヤフラム１８１の外面が高圧側受圧面１８１ａとなり、低圧側ダイヤフラム１８２の外面が低圧側受圧面１８２ａとなる。また、両ダイヤフラム１８１，１８２によって、可動部８１が収容され且つ真空状態の密閉空間１１０が形成されている。
【０１１６】
かかる構成においては、例えば両ダイヤフラム１８１，１８２（詳細には両受圧面１８１ａ，１８２ａ）は、圧縮比ＣＲが閾値圧縮比ＣＲｔｈである場合に平衡状態となるように、閾値圧縮比ＣＲｔｈに対応させて大きさを異ならせるとよい。かかる構成によれば、圧縮比ＣＲが閾値圧縮比ＣＲｔｈよりも高くなると、両ダイヤフラム１８１，１８２が変形するとともに可動部８１が変位する。詳細には、高圧側ダイヤフラム１８１が凹む一方、低圧側ダイヤフラム１８２が膨らみ、可動部８１がギャップｄの小さくなる方向に変位する。よって、圧縮比ＣＲが閾値圧縮比ＣＲｔｈよりも高くなったことを把握できる。要は、圧縮比ＣＲに応じて変位する可動部及び圧力比センサの具体的な構成は任意である。
【０１１７】
○  第３実施形態では、低圧側センサ空間８３はモータ室Ａ３と連通し、高圧側センサ空間８２及びバイパス高圧空間１３１が第２吐出室１５４と連通している構成でもよい。この場合、中間圧流体の圧力に対する高圧流体の圧力の比率である圧縮比ＣＲが閾値圧縮比ＣＲｔｈよりも高くなると、高圧流体の一部がモータ室Ａ３に流れ込むこととなる。
【０１１８】
○  第３実施形態の別例として、例えば図１４に示すように、遠心圧縮機１０は、吸入室Ａ２と連通する吸入口１４６（以降第１吸入口１４６という）とは別に、モータハウジング２２に設けられた第２吸入口１９１を有している構成でもよい。かかる構成においては、ハウジング１１には、第２吐出室１５４と連通する吐出口１５５（以降第２吐出口１５５という）とは別に、第１吐出室１５２と連通する第１吐出口１９２が形成されている。そして、凝縮器２０１は、第１吐出口１９２に接続されており、蒸発器２０４は、第２吸入口１９１に接続されているとよい。そして、車両空調装置２００は、第２吐出口１５５と第１吸入口１４６とを接続する配管１９３を備えているとよい。また、本別例においては、中間圧ポート１５７は省略されている。
【０１１９】
本別例においては、第２吸入口１９１から低圧流体が吸入される。低圧流体は、モータ室Ａ３を通って、第２インペラ室Ａ１２に向けて流れる。低圧流体は、第２インペラ１４２の回転等によって圧縮されて、中間圧流体となる。中間圧流体は、第２吐出口１５５から第１吸入口１４６に向けて流入する。第１インペラ１４１に向けて吸入される中間圧流体は、第１インペラ１４１の回転等によって圧縮されて、高圧流体となる。そして、当該高圧流体は、第１吐出口１９２から吐出される。
【０１２０】
上記別例においては、中間圧流体の圧力に対する高圧流体の圧力の比率である圧縮比ＣＲが閾値圧縮比ＣＲｔｈよりも高くなると、第１吐出室１５２の高圧流体の一部が、バイパス高圧空間１３１及び低圧側センサ空間８３を通って、第１インペラ１４１の吸入側である吸入室Ａ２に流れ込む。
【０１２１】
○  第３実施形態において、第１インペラ１４１と第２インペラ１４２とは、異なる大きさであってもよい。例えば、第２インペラ１４２の基端面１４２ａの径は、第１インペラ１４１の基端面１４１ａの径よりも短く設定されていてもよい。また、第１インペラ１４１と第２インペラ１４２とは一体化されていてもよい。この場合、両基端面１４１ａ，１４２ａ同士が接触していてもよい。
【０１２２】
○  面積比ＲＳは閾値圧縮比ＣＲｔｈと同一に設定され、閾値ギャップｄｔｈは平衡状態時におけるギャップｄに設定されていたが、これに限られない。例えば、面積比ＲＳは「１」であってもよい。この場合、閾値ギャップｄｔｈは、圧縮比ＣＲが閾値圧縮比ＣＲｔｈである場合のギャップｄに設定されているとよい。要は、面積比ＲＳ及び閾値ギャップｄｔｈは、圧縮比ＣＲが閾値圧縮比ＣＲｔｈよりも高くなった場合にギャップｄが閾値ギャップｄｔｈ未満となるように、閾値圧縮比ＣＲｔｈに対応させて設定されるとよい。
【０１２３】
○  支持部９３，１０３は、蛇腹状に形成されていなくてもよい。つまり、支持部９３，１０３は、受圧部９２，１０２を対向方向に変位しないように支持するものでもよい。
○  第１実施形態において、距離センサ１１１は、高圧側受圧面９２ａとのギャップｄを検知する構成でもよい。この場合、平衡状態時における閾値ギャップｄｔｈとすると、制御部１２０は、上記ギャップｄが閾値ギャップｄｔｈよりも高くなることに基づいて、電磁弁７２を閉鎖状態から開放状態に切り替えるとよい。
【０１２４】
○  圧力比センサは、可動部８１に代えて、両受圧面９２ａ，１０２ａを有し、且つ、両受圧面９２ａ，１０２ａから受ける押圧力ＦＨ，ＦＬの合力によって変形する変形部を備えている構成でもよい。この場合、変形部は、圧縮比ＣＲに応じて変形量が変動するように構成されているとよい。そして、遠心圧縮機１０は、変形部の変形量に基づいて開閉する弁を備えている構成でもよい。すなわち、圧力比センサ８０は、圧縮比ＣＲに応じて、位置や形状等といった状態が変化する状態変化部を備えていればよい。
【０１２５】
○  第１実施形態において、バイパス流路は、ディフューザ流路３１を通過する前又は通過中の圧縮冷媒の一部をインペラ１４の吸入側に戻す構成であってもよい。
○  冷媒はフロン冷媒に限られず、任意である。
【０１２６】
○  遠心圧縮機１０の搭載対象は、車両に限られず、任意である。
○  各実施形態と各別例とを適宜組み合わせてもよい。例えば２つのインペラ１４１，１４２を有する構成において、自動で開閉する弁１３０に代えて、第１実施形態にて示した距離センサ１１１、バイパス流路７１、電磁弁７２及び制御部１２０を設けてもよい。
【０１２７】
○  各実施形態の遠心圧縮機１０は、空冷式の車両空調装置２００に用いられていたが、これに限られず、他の用途に用いてもよい。例えば、車両が燃料電池を搭載した燃料電池車両（ＦＣＶ）である場合には、当該遠心圧縮機１０は、上記燃料電池に空気を供給する供給装置に用いられてもよい。要は、圧縮対象の流体は、任意であり、冷媒であってもよいし空気などであってもよい。
【０１２８】
次に、上記各実施形態及び別例から把握できる好適な一例について以下に記載する。
（イ）前記ハウジング内には、前記高圧空間と前記低圧空間とを仕切るとともに前記可動部が挿通される貫通孔を有する仕切壁部が設けられており、前記遠心圧縮機は、前記低圧側受圧部を前記仕切壁部に支持するものであって前記対向方向に伸縮可能となるように蛇腹状に形成された低圧側支持部と、前記高圧側受圧部を前記仕切壁部に支持するものであって前記対向方向に伸縮可能となるように蛇腹状に形成された高圧側支持部と、を備えている請求項３に記載の遠心圧縮機。
【０１２９】
（ロ）前記弁は、前記可動部が予め定められた切替位置に配置されたことに基づいて、前記閉鎖状態から前記開放状態に切り替わるものであり、前記可動部は、前記圧縮比が予め定められた閾値圧縮比よりも高くなることに基づいて前記切替位置に変位する請求項１〜６及び（イ）のうちいずれか一項に記載の遠心圧縮機。
【０１３０】
（ハ）回転軸と、前記回転軸の回転に伴って回転することにより流体を圧縮して吐出するインペラと、前記インペラに向けて吸入される吸入流体の圧力と、前記インペラの回転によって圧縮された圧縮流体の圧力との比率である圧縮比に応じて状態が変化する状態変化部を有する圧力比センサと、前記回転軸、前記インペラ及び前記圧力比センサが収容されたハウジングと、前記ハウジング内に設けられ、前記インペラの吐出側と連通しているとともに前記圧縮流体が存在する高圧空間と、前記ハウジング内に設けられ、前記インペラの吸入側と連通しているとともに前記吸入流体が存在する低圧空間と、前記状態変化部の状態に応じて、前記高圧空間と前記低圧空間とを連通させる開放状態、又は、前記高圧空間と前記低圧空間とを遮断する閉鎖状態に切り替わる弁と、を備えていることを特徴とする遠心圧縮機。なお、「状態が変化する」とは、状態変化部の変位及び変形等を含む。
【符号の説明】
【０１３１】
１０…遠心圧縮機、１１…ハウジング、１２…回転軸、１３…電動モータ、１４，１４１，１４２…インペラ、７１…バイパス流路、７２…電磁弁（弁）、７３…高圧空間、７４…低圧空間、８０，１７０，１８０…圧力比センサ、８１，１７１…可動部、８２…高圧側センサ空間、８３…低圧側センサ空間、８４…仕切壁部、９２…高圧側受圧部、９２ａ，１７１ｂ，１８１ａ…高圧側受圧面、９３…高圧側支持部、１０２…低圧側受圧部、１０２ａ，１７１ａ，１８２ａ…低圧側受圧面、１０３…低圧側支持部、１１１…距離センサ（変位検知センサ）、１２０…制御部、１３０…弁、１３１…バイパス高圧空間、１３２…隔壁部、１３３…連通孔、１３６…連結部、１６０…荷重検知センサ（荷重検知部）、ｄ…ギャップ、ｄｔｈ…閾値ギャップ、ＦＨ…高圧側押圧力、ＦＬ…低圧側押圧力、ＣＲ…圧縮比、ＣＲｔｈ…閾値圧縮比、ＲＳ…面積比。
【図１】
2017025825.tif 000003
【図２】
2017025825.tif 000004
【図３】
2017025825.tif 000005
【図４】
2017025825.tif 000006
【図５】
2017025825.tif 000007
【図６】
2017025825.tif 000008
【図７】
2017025825.tif 000009
【図８】
2017025825.tif 000010
【図９】
2017025825.tif 000011
【図１０】
2017025825.tif 000012
【図１１】
2017025825.tif 000013
【図１２】
2017025825.tif 000014
【図１３】
2017025825.tif 000015
【図１４】
2017025825.tif 000016